(57)【要約】【課題】タッチパネルがフラットになり易くて美観に優れ、製造コストも抑制し易いインターホン装置、及びそれを備えたインターホンシステムを提供すること。【解決手段】親機４１は、インターホンシステムにおいて住戸内に設置される住宅情報盤である。親機４１が、矩形の開口部２２、及び開口部２２の周囲を画定する複数の辺のうちの少なくとも２辺に沿うように設けられた凹部２３を有する筐体２を備える。親機４１が、Ｙ方向から見たときに開口部２２に重なる表示部５１を有して筐体２の内側に配置された画像表示パネル５０と、後面が凹部２３の底面に固定されたタッチパネル２０とを備える。【選択図】図５
2020061616.tif 000002
【特許請求の範囲】
【請求項１】
矩形の開口部、及びその開口部の周囲を画定する複数の辺のうちの少なくとも２辺に沿うように設けられた凹部を有する筐体と、
厚さ方向から見たときに前記開口部に重なる表示部を有し、前記筐体の内側に配置された画像表示パネルと、
後面が前記凹部の底面に固定されたタッチパネルと、
を備えるインターホン装置。
【請求項２】
前記凹部における前記厚さ方向の深さが、前記タッチパネルの厚み以上である、請求項１に記載のインターホン装置。
【請求項３】
前記凹部は、第１凹部と、前記第１凹部よりも前記厚さ方向の深さが深く、かつ前記第１凹部と前記開口部に連通する第２凹部とを有する、請求項１又は２に記載のインターホン装置。
【請求項４】
前記タッチパネルは、本体部と、前記本体部の前面の全てを覆うカバー部とを有し、
前記厚さ方向から見たときに、前記カバー部の面積が、前記本体部の面積より大きくなっている、請求項１乃至３のいずれか１つに記載のインターホン装置。
【請求項５】
前記凹部の底面に開口すると共に、前記筐体の内部に配置された発光部からの光を放出させる１以上の孔部が前記筐体に設けられている、請求項１乃至４のいずれか１つに記載のインターホン装置。
【請求項６】
前記タッチパネルは、前記１以上の孔部を覆うように設けられている、請求項５に記載のインターホン装置。
【請求項７】
前記厚さ方向から見たときに前記凹部に重なる前記タッチパネルの領域に、操作領域が設けられている、請求項１乃至６のいずれか１つに記載のインターホン装置。
【請求項８】
前記タッチパネルに電力を供給するための給電部材を前記筐体の内部から引き出すための給電孔が、前記凹部の底面に開口するように前記筐体に設けられる、請求項１乃至７のいずれか１つに記載のインターホン装置。
【請求項９】
前記画像表示パネルを取り付けるための取付部が、前記筐体において前記厚さ方向から見たときに前記凹部に重なる箇所に設けられる、請求項１乃至８のいずれか１つに記載のインターホン装置。
【請求項１０】
前記タッチパネルが、接着部材で前記凹部に固定されている、請求項１乃至９のいずれか１つに記載のインターホン装置。
【請求項１１】
請求項１乃至１０のいずれか１つに記載のインターホン装置と、前記インターホン装置と通信する１以上の情報端末と、を備えるインターホンシステム。
【発明の詳細な説明】
【技術分野】
【０００１】
本開示は、インターホン装置、及びインターホンシステムに関する。
【背景技術】
【０００２】
従来、インターホン装置としては、特許文献１に記載されているものがある。このインターホン装置は、ケース、タッチパネル、液晶モジュール、及び意匠カバーを備え、ケースは、開口部を有する。タッチパネルの操作部、及び液晶モジュールの表示部は、厚さ方向から見たとき開口部に重なる位置に配置される。また、意匠カバーは、開口部の内面を覆うように厚さ方向に延在し、ケースに固定される。意匠カバーの前側に設けられた押圧部で、タッチパネルの前面の周囲部を後側に押圧することで、後側がケースの支持部に支持されているタッチパネルを支持部側に押さえ付け、タッチパネルをケースに固定している。
【先行技術文献】
【特許文献】
【０００３】
【特許文献１】特開２００５−１１７４４５号公報
【発明の概要】
【発明が解決しようとする課題】
【０００４】
上記インターホン装置は、意匠カバーがタッチパネルの周囲部を後側に押圧するようになっている。したがって、タッチパネルの周囲部が後側にへこみ易くて、タッチパネルに段差が生じ易く、見栄えがよくない。また、意匠カバーが、タッチパネルの周囲部を後側に押圧するために内側にせり出す押圧部を必要とするので、製造コストの増大を招き易い。
【０００５】
そこで、本開示の目的は、タッチパネルがフラットになり易くて美観に優れ、製造コストも抑制し易いインターホン装置、及びそれを備えたインターホンシステムを提供することにある。
【課題を解決するための手段】
【０００６】
上記課題を解決するため、本開示に係るインターホン装置は、矩形の開口部、及びその開口部の周囲を画定する複数の辺のうちの少なくとも２辺に沿うように設けられた凹部を有する筐体と、厚さ方向から見たときに開口部に重なる表示部を有し、筐体の内側に配置された画像表示パネルと、後面が凹部の底面に固定されたタッチパネルと、を備える。
【０００７】
なお、上記矩形の開口部とは、人が見たときに矩形に見える開口部であればよい。つまり、開口部の縁は、厳密な矩形でもよく、厳密な矩形でなくてもよい。
【発明の効果】
【０００８】
本開示に係るインターホン装置によれば、タッチパネルがフラットになり易くて美観に優れ、製造コストも抑制し易い。
【図面の簡単な説明】
【０００９】
【図１】本開示の一実施形態に係るインターホンシステムの概略構成図である。
【図２】上記インターホンシステムの親機を前側から見たときの斜視図である。
【図３】図２のＡ‐Ａ線断面図であり、上記親機を、厚さ方向と高さ方向を含むと共に幅方向の中央を通過する平面で切断したときの断面図である。
【図４】上記親機からタッチパネルを外した状態を示す斜視図である。
【図５】図２のＢ‐Ｂ線断面図であり、上記親機を、幅方向と厚さ方向を含むと共に高さ方向上側を通過する平面で切断したときの断面図である。
【図６】上記親機を、幅方向と厚さ方向を含むと共に発光部からの光を通過させる孔部を通過する平面で切断したときの断面図である。
【図７】（ａ）は、上記親機のタッチパネルを前側から見たときの平面図であり、図７（ｂ）は、給電部材が接続されたタッチパネルを後側から見たときの平面図である。
【図８】変形例の親機を、幅方向と厚さ方向を含むと共に高さ方向上側を通過する平面で切断したときの断面図である。
【発明を実施するための形態】
【００１０】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、複数の図面には、模式図が含まれ、異なる図間において、各部材における、縦、横、高さ等の寸法比は、必ずしも一致しない。また、以下の実施例の説明及び図面において、Ｘ方向は、インターホン装置の一例としての親機４１の幅方向を示し、Ｙ方向は、親機４１の厚さ方向（奥行方向）を示し、Ｚ方向は、親機４１の高さ方向を示す。Ｘ方向、Ｙ方向、及びＺ方向は、互いに直交する。なお、本実施例では、親機４１が所定位置に設置されている状態で、Ｚ方向が鉛直方向に一致する場合について説明するが、インターホン装置が設置位置に設置されている状態で、Ｚ方向は鉛直方向に一致しなくてもよい。また、以下で説明される構成要素のうち、最上位概念を示す独立請求項に記載されていない構成要素については、任意の構成要素であり、必須の構成要素ではない。
【００１１】
図１は、本開示の一実施形態に係るインターホンシステム１の概略構成図である。インターホンシステム１は、例えばマンション等の集合住宅で利用できる。図１に示すように、インターホンシステム１は、共用部システム１０、玄関システム３０、室内システム４０、エネルギーシステム６０、防犯システム７０、通報システム７５、火災感知システム９４、及び制御装置９０を備える。
【００１２】
共用部システム１０は、ロビーインターホン装置１１を備え、ロビーインターホン装置１１は、ロビーインターホン本体１２と、非接触キー制御装置１３を含む。ロビーインターホン装置１１は、集合住宅の内部と外部を区切る共用ゲート１４よりも外部側に設けられて全ての住居で共有される。ロビーインターホン本体１２は、音声を入出力するマイクロホン（図示せず）及びスピーカ（図示せず）と、来訪者を撮像するカメラ（図示せず）を備える。また、ロビーインターホン本体１２は、操作部を備え、操作部は、住居番号を入力するための入力部と、呼出釦を含む。人が入力部で住居番号を選択した後に呼出釦を操作すると、選択した住居内に設置されたインターホン親機（以下、単に親機という）４１及び副親機４２,４３の夫々が内蔵スピーカを用いて呼出音を出力する。インターホン親機４１は、インターホン装置の一例である。
【００１３】
ロビーインターホン本体１２の周辺には、非接触キー検知部１５が設けられる。非接触キー検知部１５も、共用ゲート１４よりも外部側に設けられる。非接触キー検知部１５は、例えば、ＩＣ（integrated circuit）カードリーダまたはＩＣタグリーダで構成される。非接触キーが、非接触キー検知部１５にかざされると、非接触キー検知部１５は、非接触キー内に埋め込まれたＩＣチップの識別コードを読み込む。識別コードは、使用者を特定可能な情報を含む。非接触キー制御装置１３は、上記ＩＣタグリーダを介して読み込まれた識別コードと、情報記憶部に格納された解錠を許可する識別コードを照合する。非接触キー制御装置１３は、照合した識別コードの結果が一致すれば、共用ゲート１４の扉を開閉するドア開閉機構に解除を表す信号を出力し、共用ゲート１４の扉を開く。
【００１４】
共用部システム１０は、制御装置９０、及び玄関システム３０を経由した伝送線Ｌで室内システム４０に接続される。なお、図１では、伝送線Ｌや、後述の伝送線Ｌ１〜Ｌ６が、一本の配線で示されているが、伝送線Ｌ,Ｌ１〜Ｌ６は、複数の配線で構成されてもよい。また、伝送線Ｌ,Ｌ１〜Ｌ６の夫々を構成する１以上の配線には、音声情報を含む信号を伝送させる配線が含まれる。制御装置９０は、集合住宅の共有機器等を統括制御するために設けられ、通報システム７５の通報機７６へ所定の通報先に通報信号を送信させる制御や、図示しないエレベータの昇降制御等を行う。所定の通報先には、例えば、消防署、管理会社、及び警備会社が含まれる。また、制御装置９０は、管理人室の管理事務室親機９２にも接続される。管理事務室親機９２は、制御装置９０を介してインターホンシステム１の各機器に信号を出力でき、インターホンシステム１の各機器は、制御装置９０を介して管理事務室親機９２へ信号を出力できる。
【００１５】
伝送線Ｌは、共用部システム１０のロビーインターホン装置１１から制御装置９０を介して玄関システム３０の分岐器３１に接続される伝送線Ｌ１と、分岐器３１と室内システム４０の親機４１を接続する伝送線Ｌ２を含む。ロビーインターホン本体１２のカメラ（図示せず）で撮像された映像信号や音声信号は、伝送線Ｌ１と伝送線Ｌ２を介して親機４１に入力される。
【００１６】
玄関システム３０の分岐器３１は、制御装置９０からのびる伝送線Ｌを分岐して各住居の玄関システム３０に接続するために設けられる。各住居の親機４１は、適切な設定を行うことで分岐器３１を介して所望の住居の親機４１と信号の送受信を実行可能になる。玄関システムの３０のインターホン子機（以下、単に子機という）３２は、集合住宅の各住居の玄関先に配置される。子機３２は、音声を入出力するマイクロホン（図示せず）及びスピーカ（図示せず）と、来訪者を撮像するカメラ（図示せず）を含む。子機３２のカメラ（図示せず）で撮像された映像信号や音声信号は、伝送線Ｌ３を介して親機４１に送信される。子機３２は、呼出釦（図示せず）を有する。子機３２の呼出釦が操作されると、呼出音が、親機４１及び副親機４２,４３の各スピーカから出力される。
【００１７】
親機４１は、室内システム４０に含まれる。親機４１は、音声を入出力するマイクロホン（図示せず）及びスピーカ（図示せず）と、モニタ装置（図示せず）を有する。また、室内システム４０は、必要に応じて副親機（モニタ付副親機４２及び通話副親機４３）を含む。モニタ付副親機４２は、音声を入出力するマイクロホン（図示せず）及びスピーカ（図示せず）と、モニタ装置（図示せず）とを有する。モニタ付副親機４２は、伝送線Ｌ４を介して親機４１に接続され、親機４１と音声情報や映像情報をやり取り可能になっている。また、通話副親機４３は、音声を入出力するマイクロホン（図示せず）及びスピーカ（図示せず）を有する。通話副親機４３は、伝送線Ｌ５を介してモニタ付副親機４２に接続される。通話副親機４３は、伝送線Ｌ４及び伝送線Ｌ５を介して親機４１と音声情報をやり取り可能になっている。親機４１は、ロビーインターホン装置１１や子機３２と、副親機４２,４３との間の通信を中継する機能を有し、人は、副親機４２,４３を用いて、ロビーインターホン本体１２や子機３２を使用する来訪者との間で通話できる。
【００１８】
親機４１は、モニタ付副親機４２、携帯機器アダプタ４５と、無線ＬＡＮルーター４６を介して携帯機器４７、例えば、携帯電話やタブレット等と信号のやり取りを実行可能になっている。携帯機器アダプタ４５は、例えば、親機４１又は副親機４２,４３間の通信で用いられる通信規格の信号と、携帯機器で用いられる通信規格の信号の変換を行う。このインターホンシステム１では、人は、ロビーインターホン装置１１又は子機３２からの呼び出しに携帯機器４７で応答可能となっている。なお、親機４１から出てくるＬＡＮ配線は、モニタ付副親機４２があってもなくても、モニタ付副親機４２とメディア変換用の携帯機器アダプタ４５とを介さずに無線ＬＡＮルーター４６に直接接続されてもよい。また、親機４１のＬＡＮ配線用の接続端子には、インターネットに有線又は無線を介して直接繋がるＬＡＮ配線の一端部が、メディア変換用の機器を一切介さずに接続されてもよい。
【００１９】
親機４１は、エネルギーシステム６０からの信号を受信可能になっている。エネルギーシステム６０は、電力測定器６１、ガスメータ６２、水道メータ６３、及び計測ボックス６４を含む。電力測定器６１は、例えば各住居の分電盤に設置されて住居での消費電力を検出し、所定の電力量が消費される度に所定のパルス信号を計測ボックス６４に出力する。また、ガスメータ６２は、例えば所定のガス量が消費される度に所定のパルス信号を計測ボックス６４に出力し、水道メータ６３は、例えば所定量の水が消費される度に所定のパルス信号を計測ボックス６４に出力する。計測ボックス６４は、電力測定器６１、ガスメータ６２、及び水道メータ６３の夫々からのパルス信号を計測し、電力を表す信号と、消費ガス量を表す信号と、消費した水量を表す信号を親機４１に出力する。親機４１は、消費電力、消費ガス量、及び消費水量を表示部に表示させる操作部を有する。人は、該操作部を操作することで、消費電力、消費ガス量、及び消費水量を認識でき、電力料金、ガス料金、水道料金を認識できる。
【００２０】
親機４１は、更に、防犯システム７０からの信号を受信可能になっており、通報システム７５へ信号を出力可能になっている。詳しくは、防犯システム７０は、例えば、玄関防犯用センサ７１と、窓防犯用センサ７２を含む。玄関防犯用センサ７１及び窓防犯用センサ７２の夫々は、例えばスイッチを含むマグネットセンサで構成される。玄関防犯用センサ７１は、玄関扉周辺に設置される。玄関扉が開くと玄関防犯用センサ７１のスイッチが磁力でオンになり、玄関扉が開いたことを表す信号が親機４１に出力される。また、窓防犯用センサ７２は、窓周辺に設置される。窓が開くと窓防犯用センサ７２のスイッチがオンになり、窓が開いたことを表す信号が親機４１に出力される。
【００２１】
親機４１は、留守設定を登録できる操作部（図示せず）を含む。留守設定がされている状態で、親機４１が防犯用センサ７１,７２からの信号で玄関や窓が開いたと認識すると、不特定者の住居への侵入を表す異常信号が、親機４１から制御装置９０を介して通報機７６に伝送される。通報機７６は、異常信号に含まれる送信先情報に基づいて、異常信号を警備会社等に出力する。
【００２２】
親機４１は、更に、火災感知システム９４からの信号を受信可能になっている。火災感知システム９４は、共用部、例えば、各階の廊下等の所定位置に配置された複数の火災報知器９５と、受信器９６を備える。集合住宅の各住戸に設置された親機４１は、火災の発生を表す信号を、各火災報知器９５から、受信器９６、制御装置９０、及び分岐器３１を介して受信可能になっている。親機４１は、火災の発生を表す信号を受信すると、発報した火災報知器９５が存在する位置に関する位置情報を表示部に表示可能となっており、警報音を出力可能となっている。また、詳述しないが、親機４１は、玄関ドアの施錠の有無を検知するセンサからの信号を受信できるようになっており、玄関ドアの施錠の有無を表示可能になっている。
【００２３】
以上、インターホンシステム１は、インターホン装置の一例としての親機４１と、親機４１と通信する１以上の情報端末を備える。また、本実施例のように、その１以上の情報端末は、ロビーインターホン装置１１、管理事務室親機９２、子機３２、及び携帯機器４７を含んでもよい。なお、インターホン装置が、親機４１のみで構成される場合について説明した。しかし、インターホン装置は、タッチパネル及び画像表示パネルを備える住宅情報盤と、それとは別の別装置とを備えてもよい。また、本実施例のように、インターホン装置が、住宅情報盤を構成する親機４１のみで構成される場合において、親機４１は、情報端末と直接通信してもよく、他の装置を介して情報端末と通信してもよい。また、インターホン装置が、タッチパネル及び画像表示パネルを備える住宅情報盤と、別装置とを備える場合において、住宅情報盤は、別装置のみを介して情報端末と通信してもよく、別装置と他の装置を介して情報端末と通信してもよい。また、また、インターホン装置が、タッチパネル及び画像表示パネルを備える住宅情報盤と、別装置とを備える場合において、住宅情報盤は、別装置を介さずに情報端末と直接通信してもよく、別装置を介さずに他の装置を介して情報端末と通信してもよい。
【００２４】
図２は、親機４１を前側から見たときの斜視図である。また、図３は、図２のＡ‐Ａ線断面図であり、親機４１を、Ｙ方向とＺ方向を含むと共にＸ方向の中央を通過する平面で切断したときの断面図である。また、図４は、親機４１からタッチパネル２０を外した状態を示す斜視図である。また、図５は、図２のＢ‐Ｂ線断面図であり、親機４１を、Ｘ方向とＹ方向を含むと共に親機４１のＺ方向上側を通過する平面で切断したときの断面図である。
【００２５】
図２に示すように、親機４１は、筐体全てが設置建物から露出する露出型の住宅情報盤であり、その前面は、略矩形の形状を有する。また、親機４１は、Ｚ方向上側にタッチパネル２０を備え、Ｚ方向下側に通話釦５及び解錠釦６を備える。タッチパネル２０は、ガス、電気、水道の使用量を確認するときや、親機４１の記憶部に時系列的に記憶された来客者の画像を確認するとき等に操作される。また、通話釦５は、来客者等がロビーインターホン装置１１や子機３２を介して連絡してきたときに、当該来客者との通話を実行するために設けられる。また、解錠釦６は、例えば、宅配業者がロビーインターホン装置１１を介して宅配物があることを連絡してきたときに、共用ゲート１４の扉を開閉するために設けられる。親機４１は、タッチパネル２０と、通話釦５及び解錠釦６との間に複数の小径孔７を有する。この複数の小径孔７は、住戸内の人の音声が親機内蔵のマイクロホンに届き易いように設けられ、また、親機内蔵のスピーカが出力した音声が住戸内の人に届き易いように設けられる。
【００２６】
図３に示すように、親機４１は、筐体２、タッチパネル２０、画像表示パネル５０、及び１以上の基板８０を備える。画像表示パネル５０は、例えば、液晶パネル、無機ＥＬ（electro luminescence）パネル、又は有機ＥＬパネル等で構成される。タッチパネル２０、画像表示パネル５０、及び１以上の基板８０の夫々は、筐体２に固定される。それらの部材２０,５０,８０は、タッチパネル２０、画像表示パネル５０、及び１以上の基板８０の順に前側から後側に配置され、基板８０が最も裏側に配置される。筐体２は、Ｙ方向に関してタッチパネル２０と画像表示パネル５０の間に配置される離間部２１を有する。タッチパネル２０は、離間部２１によって画像表示パネル５０に対してＹ方向に離間され、画像表示パネル５０にＹ方向に間隔をおいて対向する。
【００２７】
図４に示すように、筐体２は、矩形の開口部２２と、開口部２２の周囲を画定する複数の辺２２ａ,２２ｂ,２２ｃ,２２ｄに沿うように設けられた凹部２３とを有する。また、画像表示パネル５０は、筐体２の内側に設置され、Ｙ方向から見たときに開口部２２に重なるように配置される表示部５１を有する。図３を参照して、離間部２１の前面は、凹部２３の底面の少なくとも一部を構成する。図２を参照して、タッチパネル２０は、凹部２３の底面にねじ止めや融着によって固定されてもよい。しかし、タッチパネル２０を、凹部２３の底面に接着部材の一例としての両面テープや接着剤で固定すると、タッチパネル２０を筐体２に簡単安価に取り付けできると共にスタイリッシュな外観も実現できて好ましい。
【００２８】
図５を参照して、凹部２３のＹ方向の深さは、タッチパネル２０の厚み以上になっている。また、図４及び図５に示すように、凹部２３は、第１凹部２３ａと、第２凹部２３ｂを有する。第１凹部２３ａは、第２凹部２３ｂよりも筐体２の周縁側に位置し、第２凹部２３ｂは、第１凹部２３ａよりもＹ方向の深さが深い。また、第２凹部２３ｂのＸ方向外側は、第１凹部２３ａと連通し、第２凹部２３ｂのＸ方向内側は、開口部２２に連通する。
【００２９】
図５に示すように、タッチパネル２０は、本体部２５と、カバー部２６を有する。Ｙ方向から見たとき、カバー部２６の面積は、本体部２５の面積よりも大きくなっており、カバー部２６は、本体部２５の前面の全てを覆っている。本体部２５の後面は、第２凹部２３ｂの底面に固定され、カバー部２６の後面は、第１凹部２３ａの底面に固定されている。タッチパネル２０の本体部２５は、透明な材質で構成された板状部と、その板状部の後面に設けられた配線とを有する。配線は、金色に近い色を有し、Ｙ方向から見たときタッチパネル２０において凹部２３に重なる領域に配置される。カバー部２６においてＹ方向から見たときに凹部２３に重なる部分は、有色、例えば、黒色に着色される。より具体的には、カバー部２６は、例えば、透明なカバー元材の後面においてＹ方向から見たときに凹部２３に重なる部分に黒色印刷を施すことで形成される。このカバー部２６の周辺部の着色により、人が前側からタッチパネル２０を見たときに、配線を視認できないようになっている。
【００３０】
図２に示すように、親機４１は、Ｙ方向から見たときに凹部２３に重なるタッチパネル２０の領域に操作部２９を備える。この操作部２９は、操作領域の一例であり、Ｙ方向から見たときに画像表示パネル５０の表示部５１に重ならない位置に配置され、画像表示パネル５０の表示内容に無関係に表示される。この操作部２９は、例えば、ホーム選択部２９ａと、終了選択部２９ｂを含む。ホーム選択部２９ａは、例えば、画像表示パネル５０が表示している画像を待ち受け画像に戻すときに操作される。また、終了選択部２９ｂは、例えば、画像表示パネル５０における画像表示を終了させるときに操作される。
【００３１】
図４に示すように、筐体２は、１以上の孔部２８を有する。１以上の孔部２８は、Ｙ方向に延在し、第２凹部２３ｂの底面に開口する。図６は、親機４１を、Ｘ方向とＹ方向を含むと共に孔部２８を通過する平面で切断したときの断面図である。図６に示すように、親機４１は、１以上の発光部８１を更に備え、各発光部８１は、基板８０の前面に実装されている。各発光部８１は、発光ダイオード（ＬＥＤ(light emitting diode）)で構成されると好ましいが、半導体レーザ素子、有機ＥＬ（Electro Luminescence）素子、又は無機ＥＬ素子で構成されてもよい。１以上の孔部２８と、１以上の発光部８１は、一対一に対応し、Ｙ方向から見たとき、１つの孔部２８が１つの発光部８１に重なる。図２に示すように、タッチパネル２０は、全ての孔部２８を覆うように設けられる。各孔部２８は、筐体内部に配置された発光部８１からの光をタッチパネル２０側に放出させるために設けられる。
【００３２】
図７（ａ）は、タッチパネル２０を前側から見たときの平面図であり、図７（ｂ）は、給電部材８４が接続されたタッチパネル２０を後側から見たときの平面図である。図７（ａ）に示すように、タッチパネル２０には、複数のアイコン２４ａ〜２４ｇの透かし印刷が施されている。図６及び図７（ａ）を参照して、Ｙ方向から見たとき、１つのアイコン２４ａ〜２４ｇが、１つの孔部２８と１つの発光部８１に重なる。このことから、１以上の発光部８１が点灯すれば、その１以上の発光部８１に対応する１以上のアイコン２４ａ〜２４ｇが浮かび上がる。図７（ａ）に示す例では、アイコン２４ａは、電源が供給されているか否かを表すアイコンとなっており、アイコン２４ｂは、火災感知システム９４から火災の発生を表す信号を受信したか否かを表すアイコンとなっている。また、アイコン２４ｃは、エネルギーシステム６０から水道の使用を表す信号を受信したか否かを表すアイコンとなっており、アイコン２４ｄは、親機４１の記憶部に音声データが記憶されているか否かを表すアイコンとなっている。また、アイコン２４ｅは、管理人から連絡があったか否かを表すアイコンとなっており、アイコン２４ｆは、防犯システム７０から窓が開いている信号を受信したか否かを表すアイコンとなっている。また、アイコン２４ｇは、玄関ドアの施錠の有無を検知するセンサからドアが施錠されていない信号を受信したか否かを表すアイコンとなっている。なお、透かし印刷のアイコン２４ａ〜２４ｇは、仕様によって、適宜省略されてもよく、適宜追加されてもよい。
【００３３】
再度、図４を参照して、筐体２は、第２凹部２３ｂの底面に開口する給電孔２７を有する。図４及び図７（ｂ）を参照して、この給電孔２７は、タッチパネル２０に電力を供給するための給電部材８４を筐体内部から引き出すために設けられる。再度、図３を参照して、筐体２は、画像表示パネル５０の取付部５５を有する。取付部５５は、Ｙ方向から見たときに凹部２３に重なる箇所に配置される。図３及び図５に示すように、取付部５５は、画像表示パネル５０の周囲を取り囲むように配置される。
【００３４】
次に、取付部５５が、画像表示パネル５０をＸＺ平面における所定位置に押圧する動作について説明する。詳しくは、図３に示すように、取付部５５は、Ｚ方向に間隔をおいて配置されてＹ方向に延在する一対のＹ方向延在部５５ａ,５５ｂを有する。また、一対のＹ方向延在部５５ａ,５５ｂのうちの一方のＹ方向延在部５５ａは、Ｙ方向に延在する１条の突出部で構成される。また、Ｙ方向延在部５５ａにおける画像表示パネル５０側とは反対側には、スペース６９ａがＹ方向延在部５５ａに沿うように存在する。したがって、Ｙ方向延在部５５ａは、画像表示パネル５０側とは反対側からバックアップされることがないので、剛性が弱くなり、撓みが許容され、ばね性を有する。このため、Ｙ方向延在部５５ａは、そのばね性により画像表示パネル５０をＺ方向に対向する他のＹ方向延在部５５ｂ側に押圧することができ、その結果、画像表示パネル５０は、Ｙ方向延在部５５ａから付与される力によってＺ方向に関して所定位置に位置決めされる。
【００３５】
また、同様に、図５に示すように、取付部５５は、Ｚ方向に間隔をおいて配置されてＺ方向に延在する一対のＺ方向延在部５５ｃ,５５ｄを有する。また、一対のＺ方向延在部５５ｃ,５５ｄのうちの一方のＺ方向延在部５５ｃは、Ｚ方向に延在する１条の突出部で構成される。また、Ｚ方向延在部５５ｃにおける画像表示パネル５０側とは反対側には、スペース６９ｂがＺ方向延在部５５ｃに沿うように存在する。したがって、Ｚ方向延在部５５ｃは、画像表示パネル５０側とは反対側からバックアップされることがないので、剛性が弱くなり、撓みが許容され、ばね性を有する。このため、Ｚ方向延在部５５ｃは、そのばね性により画像表示パネル５０をＸ方向に対向する他のＺ方向延在部５５ｄ側に押圧することができ、その結果、画像表示パネル５０は、Ｚ方向延在部５５ｃから付与される力によってＸ方向に関して所定位置に位置決めされる。
【００３６】
次に、タッチパネル２０の操作と、画像表示パネル５０の表示の関係について簡単に説明する。タッチパネル２０は、例えば、Ｙ方向に間隔をおいて対向する一対のＩＴＯ（Indium Tin Oxide）膜（図示せず）と、その一対のＩＴＯ膜の間における所定位置に配置される複数のドットスペーサ（図示せず）を含む。その構成において、指がタッチパネル２０を押圧すると、前側のＩＴＯ膜の押圧箇所が後側に変形し、その押圧箇所が後側のＩＴＯ膜に接触して通電する。すると、親機４１の制御部が、通電位置に基づいてタッチパネル２０における押圧箇所のＸ座標位置とＺ座標位置を特定する。例えば、親機４１の記憶部には、実行する制御が押圧されたＸＺ座標位置に関連づけられた状態で画像毎に記憶されている。画像表示パネル５０に表示されている画像情報、押圧されたＸＺ座標位置の情報、及び記憶部に記憶されている情報に基づいて、親機４１は、画像表示パネル５０に供給する電力の制御等を実行する。画像表示パネル５０の表示部５１は、その電力制御によってタッチパネル２０の操作に基づく画像を表示するようになっている。
【００３７】
なお、親機４１の制御部及び記憶部の夫々は、基板８０に実装された１以上の電子部品で構成されている。制御部は、例えば、マイクロコンピュータによって好適に構成され、ＣＰＵ（Central Processing Unit）を含む。また、記憶部は、ＲＯＭ（Read Only Memory）等の不揮発性メモリや、ＲＡＭ（Random Access Memory）等の揮発性メモリで構成される。ＣＰＵは、記憶部に予め記憶されたプログラム等を読み出して実行する。また、不揮発性メモリは、制御プロラムや所定の閾値等を予め記憶する。また、揮発性メモリは、読み出したプログラムや処理データを一時的に記憶する。
【００３８】
以上、親機（インターホン装置）４１は、矩形の開口部２２、及びその開口部２２の周囲を画定する複数の辺２２ａ〜２２ｄのうちの少なくとも２辺に沿うように設けられた凹部２３を有する筐体２を備える。また、親機４１は、Ｚ方向から見たときに開口部２２に重なる表示部５１を有して、筐体２の内側に配置された画像表示パネル５０と、後面が凹部２３の底面に固定されたタッチパネル２０を備える。
【００３９】
したがって、タッチパネル２０が前側から押圧されることがないので、タッチパネル２０の周囲部が後側にへこみ難くて、タッチパネル２０に段差が生じ難い。更には、従来構成との比較で、タッチパネルを前側から押圧する部位が存在しないので、その部材の材料コストを削減できる。よって、タッチパネル２０がフラットになり易くて、親機４１を美観に優れたものにでき、親機４１の製造コストも抑制し易い。
【００４０】
なお、図４に示すように、本実施例では、凹部２３が、開口部２２の周囲を画定する４辺２２ａ〜２２ｄに沿うように設けられている。しかし、凹部は、開口部の周囲を画定する複数の辺のうちの少なくとも２辺に沿うように設けられればよく、開口部の周囲を画定する複数の辺のうちの３辺のみに沿うように設けられてもよく、開口部の周囲を画定する複数の辺のうちの２辺のみに沿うように設けられてもよい。
【００４１】
また、親機４１は、凹部２３におけるＹ方向の深さが、タッチパネル２０の厚み以上でもよい。
【００４２】
タッチパネルが、凹部におけるＹ方向の深さ以上の厚さを有すると、埃等の異物がタッチパネルにおいて前側にはみ出した側面部に溜まり易く、その溜まった異物がその側面部に沿うよう筐体側に移動して筐体内に侵入し易い。これに対し、本構成によれば、タッチパネル２０が筐体２よりも前側にはみ出すことがない。したがって、スタイリッシュな親機４１を実現でき、異物も筐体２内に侵入しにくい。なお、本構成は、採用されると好ましいが、採用されなくてもよく、凹部におけるＹ方向の深さは、タッチパネルの厚み未満でもよい。
【００４３】
また、凹部２３は、第１凹部２３ａと、第１凹部２３ａよりもＹ方向の深さが深く、かつ第１凹部２３ａと開口部２２に連通する第２凹部２３ｂとを有してもよい。
【００４４】
上記構成によれば、第１凹部２３ａの底面と第２凹部２３ｂの底面を連結する段部を凹部２３内に形成できる。したがって、タッチパネル２０が、第１及び第２凹部２３ａ,２３ｂの夫々に収容される部分を含むようにすることで、タッチパネル２０と凹部２３との間にラビリンス構造（迷路構造）を形成できる。よって、異物が筐体内に侵入することをラビリンス構造で効果的に抑制できる。また、第１凹部２３ａにカバー部２６を配置できるので、カバー部２６の前面の面積を本体部２５の前面の面積よりも大きくし易い。したがって、カバー部２６の周辺部でタッチパネル２０の周辺部に設けられる配線を確実に隠蔽できる。なお、本構成は、採用されると好ましいが、採用されなくてもよく、凹部の深さは、全ての箇所で一定でもよい。
【００４５】
また、タッチパネル２０が、本体部２５と、本体部２５の前面の全てを覆うカバー部２６とを有し、Ｙ方向から見たときに、カバー部２６の面積が、本体部２５の面積より大きくてもよい。
【００４６】
上記構成によれば、タッチパネル２０の周辺部に設けられる配線を確実に隠蔽できる。また、本体部２５の前面の全てが傷つきにくくなる。なお、本構成は、採用されると好ましいが、採用されなくてもよく、カバー部の前面の面積は、本体部の前面の面積以下でもよい。又は、タッチパネルは、カバー部を有さなくてもよい。
【００４７】
また、凹部２３の底面に開口すると共に、筐体２の内部に配置された発光部８１からの光を放出させる１以上の孔部２８が筐体２に設けられてもよい。また、タッチパネル２０は、１以上の孔部２８を覆うように設けられてもよい。
【００４８】
上記構成によれば、Ｙ方向から見たとき１以上の孔部２８に重なる１以上のアイコン２４ａ〜２４ｇを透かし印刷でタッチパネル２０に設けることで、各アイコン２４ａ〜２４ｇを浮かび上がらせたり、消失させたりすることができる。よって、例えば、タッチパネル操作に基づかない外部からの情報を親機４１に簡単安価に表示できる。なお、本構成は、採用されると好ましいが、採用されなくてもよく、筐体は、凹部の底面に開口すると共に発光部からの光を通過させる孔を有さなくてもよい。
【００４９】
また、Ｙ方向から見たときに凹部２３に重なるタッチパネル２０の領域に、操作領域が設けられてもよい。
【００５０】
本構成において、その操作領域が、画像表示パネル５０の表示部５１の表示内容に無関係な操作部２９を含む場合、画像表示パネル５０の表示部５１の表示内容に無関係な操作部２９を表示部５１に表示することを抑制できる。したがって、表示内容に関連するより多くの操作部を画像表示パネル５０の表示部５１に表示でき、表示部５１を有効利用することができる。また、操作領域は、例えば、印刷された操作部を含んでもよく、その操作部が、画像表示パネルの表示部が表示する画像と連動して裏側の発光部が発光することで強調される構成でもよい。本構成によれば、この場合でも、その印刷された操作部を、画像表示パネルの表示部に表示しなくてもよい。よって、この場合においても、画像表示パネルの表示部を有効利用できる。なお、本構成は、採用されると好ましいが、採用されなくてもよく、操作領域は、厚さ方向から見たときに凹部に重なるタッチパネルの領域に設けられなくてもよい。
【００５１】
また、タッチパネル２０に電力を供給するための給電部材８４を筐体２の内部から引き出すための給電孔２７が、凹部２３の底面に開口するように筐体２に設けられてもよい。
【００５２】
上記構成によれば、給電部材８４を画像表示パネル５０の後側からタッチパネル２０に円滑に接続できる。したがって、親機４１のコンパクト化を実現し易くなる。なお、本構成は、採用されると好ましいが、採用されなくてもよく、タッチパネルに電力を供給する給電部材を通過させる給電孔をインターホン装置の側面に設けてもよい。
【００５３】
また、画像表示パネル５０を取り付けるための取付部５５が、筐体２においてＹ方向から見たときに凹部２３に重なる箇所に設けられてもよい。
【００５４】
上記構成によれば、画像表示パネル５０をＸＺ平面における所定位置に配置し易くなる。なお、画像表示パネルを取り付けるための取付部は、筐体においてＹ方向から見たときに凹部に重なる箇所に設けられなくてもよい。
【００５５】
また、タッチパネル２０は、接着部材で凹部２３に固定されてもよい。
【００５６】
上記構成によれば、タッチパネル２０の前面をよりフラットに構成し易くなり、より美観に優れた親機４１を実現し易くなる。
【００５７】
なお、本開示は、上記実施形態およびその変形例に限定されるものではなく、本願の特許請求の範囲に記載された事項およびその均等な範囲において種々の改良や変更が可能である。
【００５８】
例えば、上記実施形態では、インターホンシステム１が、集合住宅に設置される場合について説明したが、インターホンシステムは、集合住宅でなくて、一戸建ての住居に設置されてもよく、インターホンシステムが、ロビーインターホン装置を備えなくてもよい。
【００５９】
また、インターホン装置が、住戸に設置される親機４１である場合について説明したが、インターホン装置は、住戸に設置されるモニタ付副親機でもよく、又は住戸に設置される通話副親機でもよい。又は、インターホンシステムが、集合住宅に設置される場合、インターホン装置は、管理事務室親機でもよい。
【００６０】
また、インターホンシステム１が、図１に示す概略構成を有し、インターホンシステム１が、エネルギーシステム６０等を有する場合について説明した。しかし、インターホンシステムは、図１に示すインターホンシステムから１以上の機器が削除された構成を有してもよく、逆に図１に示すインターホンシステムに１以上の機器が追加された構成を有してもよい。
【００６１】
より具体的には、インターホンシステムは、図１に示すインターホンシステム１から、エネルギーシステム６０、防犯システム７０、通報システム７５、及び火災感知システム９４のうちの１以上のシステムが省略された構成を有してもよい。また、図１に示すインターホンシステム１に、宅配ボックスシステムが更に追加された構成を有してもよく、その宅配ボックスシステムは、複数の宅配ボックスを備えてもよい。そして、各住戸に設置された親機が、その住戸に対応する宅配ボックスから荷物の有無を表す信号等を無線又は有線を用いて直接受信可能でもよく、制御装置、及び分岐器を経由して受信可能でもよい。
【００６２】
また、親機４１が、その筐体全てが設置建物から露出する露出型の住宅情報盤である場合について説明した。しかし、図８、すなわち、変形例の親機１４１を、Ｘ方向とＹ方向を含むと共にＺ方向上側を通過する平面で切断したときの断面図に示すように、親機１４１は、その筐体１０２の一部が設置建物に埋め込まれる埋込型の住宅情報盤でもよい。詳しくは、筐体１０２における所定位置よりもＹ方向の後側部分１０２ａのＺ方向寸法が、筐体２における所定位置よりもＹ方向の前側部分１０２ｂのＺ方向寸法よりも短くてもよい。そして、後側部分１０２ａが、設置建物に埋め込まれる一方、前側部分１０２ｂは、設置建物から露出してもよい。
【００６３】
なお、埋込型の親機１４１においても、露出型の親機４１と同様に、筐体１０２が、矩形の開口部１２２と、開口部１２２の周囲を画定する複数の辺１２２ａ〜１２２ｃのうちの少なくとも２辺に沿うように設けられた凹部１２３を有する。また、親機１４１は、Ｚ方向から見たときに開口部１２２に重なる表示部１５１を有して、筐体２の内側に配置された画像表示パネル１５０と、後面が凹部１２３の底面に固定されたタッチパネル１２０とを備える。また、露出型の親機４１を用いて説明した如何なる構成も、埋込型の親機１４１に適用してもよい。
【００６４】
また、上述の親機４１,１４１のように、インターホン装置が、１つのみの筐体２,１０２を備え、表示、通話のために必要な機能が、１つのみの筐体２,１０２内に全て配置される場合について説明した。しかし、インターホン装置は、タッチパネル及び画像表示パネルが取り付けられる第１筐体と、第１筐体とは別の第２筐体を含んでもよい。そして、インターホン装置に必要な複数の機能を、２つに分配して、一方の複数の機能を、第１筐体内に収容する一方、他方の複数の機能を、第２筐体内に収容するようにしてもよい。なお、上記一方の複数の機能を、インタフェースを中心とした機能とし、上記他方の複数の機能を、他の情報端末との通信機能、センサとの通信機能、及び画面の制御機能等を中心とする機能とすると、第１筐体の薄型化や小型化を実現し易くて好ましいが、インターホン装置に必要な複数の機能の分配は、その分配に限らない。また、インターホン装置は、互いに別体に構成される３以上の筐体を有してもよい。しかし、この場合でも、インターホン装置が、タッチパネル及び画像表示パネルが取り付けられる少なくとも１つの筐体を有することは言うまでもない。
【符号の説明】
【００６５】
１  インターホンシステム、  ２,１０２  筐体、  １１  ロビーインターホン装置、  ２０,１２０  タッチパネル、  ２２,１２２  開口部、  ２２ａ,２２ｂ,２２ｃ,２２ｄ,１２２ａ,１２２ｂ,１２２ｃ  開口部の周囲を画定する辺、  ２３,１２３  凹部、  ２３ａ  第１凹部、  ２３ｂ  第２凹部、  ２５  本体部、  ２６  カバー部、  ２７  給電孔、  ２８  孔部、  ２９  操作部、  ３２  子機、  ４１,１４１  親機、  ４７  携帯機器、  ５０,１５０  画像表示パネル、  ５１,１５１  表示部、  ５５  取付部、  ８１  発光部、  ８４  給電部材、  Ｘ方向  幅方向、  Ｙ方向  厚さ方向、  Ｚ方向  高さ方向。
【図１】
2020061616.tif 000003
【図２】
2020061616.tif 000004
【図３】
2020061616.tif 000005
【図４】
2020061616.tif 000006
【図５】
2020061616.tif 000007
【図６】
2020061616.tif 000008
【図７】
2020061616.tif 000009
【図８】
2020061616.tif 000010
【手続補正書】
【提出日】令和1年10月7日(2019.10.7)
【手続補正１】
【補正対象書類名】図面
【補正対象項目名】図１
【補正方法】変更
【補正の内容】
【図１】
2020061616.tif 000011